(57)【要約】【課題】少ない部品点数によってコストを削減しつつ、作業工数を削減する。【解決手段】回路基板300を介して電源と接続される端子片を設けた平板部220と、この平板部から立ち上がり、蛍光管400のアウターリード410を係止する立上部210とからなり、全体を導電材料で形成した蛍光管の固定具において、前記立上部の上端から下方に亘ってスリット211を形成し、このスリットの下端で蛍光管の棒状のアウターリードを嵌合させ係止させるために、前記アウターリードの外形と同じ形状に切り欠いた係止部212を設け、前記立上部のスリットにより分割された両側部分がアウターリードの通過により拡開する弾性を備え、前記平板部の両側に回路基板を抱え込む抱え込み片230を形成し、この抱え込み片で抱え込まれる回路基板の端子部と端子片とが電気的に接続できるように構成した。【選択図】図１
2010225355.tif 000002
【特許請求の範囲】
【請求項１】
回路基板を介して電源と接続される端子片を設けた平板部と、この平板部から立ち上がり、蛍光管のアウターリードを係止する立上部とからなり、全体を導電材料で形成した蛍光管の固定具において、
前記立上部の上端から下方に亘ってスリットを形成し、
このスリットの下端で蛍光管の棒状のアウターリードを嵌合させ係止させるために、前記アウターリードの外形と同じ形状に切り欠いた係止部を設け、
前記立上部のスリットにより分割された両側部分がアウターリードの通過により拡開する弾性を備え、
前記平板部の両側に回路基板を抱え込む抱え込み片を形成し、
この抱え込み片で抱え込まれる回路基板の端子部と端子片とが電気的に接続できるように構成したことを特徴とする蛍光管の固定具。
【請求項２】
請求項１記載の固定具を用いて蛍光管と電気接続するコネクタにおいて、
基材部上に蛍光管の本体部が載置される載置溝を両側壁間に形成し、
基材部の前面に設けられた開口部内にあって、載置溝の下方裏面側に固定具が取り付けられる取付手段を設け、
前記固定具の立上部が基材部の後面側に位置し、載置溝後部隣接箇所で基材部下方から上方へ突出するように配置されていて、蛍光管の本体部を載置溝上方へセットしたとき、蛍光管のアウターリードを立上部のスリットで挟持し、
前記固定具のスリット途中にある前記アウターリードを嵌合部まで押し込んで蛍光管の本体部を載置溝へ載置して固定できるようにしたことを特徴とするコネクタ。
【請求項３】
請求項２記載のコネクタを用いて蛍光管を固定する蛍光管の固定構造において、
前記蛍光管のアウターリードをスリット途中から係止部まで押し込む手段として、基材部に取り付けられるカバー内部に設けられ、アウターリードの上方に位置するように配された押付片を用いたことを特徴とする蛍光管の固定構造。
【請求項４】
前記固定具を複数設けるとともに、これら固定具と協働して蛍光管を固定する載置溝形成部分も基材部上に複数設け、各固定具のスリットに複数の蛍光管のアウターリードを挟持し、前記カバーはその複数の蛍光管を覆うように基材部に取り付けられ、カバーに形成された複数の押付片で複数のアウターリードを係止部に係止させ、複数の蛍光管を一度に固定することを特徴とする請求項３に記載の蛍光管の固定構造。
【請求項５】
前記固定具の平板部両側に形成された抱え込み片で囲まれた差込口へ、固定具の端子片と電気的に接続する端子部が形成された回路基板の複数の差込片を差し込んで、回路基板の差込片を抱え込み片で挟持し、複数の差込片の端子部を複数の固定具の端子片に接触させたことを特徴とする請求項４に記載の蛍光管の固定構造。
【発明の詳細な説明】
【技術分野】
【０００１】
本発明は、蛍光管の固定具、コネクタ、及び蛍光管の固定構造に関する。
【背景技術】
【０００２】
液晶表示装置のバックライト用として冷陰極管などの蛍光管が用いられる。この蛍光管の取り付けについて、蛍光管として用いる冷陰極管の端子（アウターリード）と回路基板とを接続するコネクタを、ホルダによって複数保持させた上で、複数のコネクタに対して冷陰極管を取り付け、回路基板をホルダに保持させた複数のコネクタに対して一括で取り付ける取り付け方法が提案されている（たとえば、特許文献１参照）。この従来例では、蛍光管の固定は、蛍光管のアウターリードを一対の第１の弾性片部の間に挿入して弾性接触させることにより図っており、この第１の弾性片部はコンタクトを構成し、コンタクトはハウジングに保持されている。そして、コンタクトは、第１の弾性片部に連成された第２の弾性片部を有し、この第２の弾性片部が回路基板の端子部（導体パターン）と接触するようになっている。ハウジングの下方に回路基板が差し込まれる挿入凹部が形成され、この挿入凹部に第２の弾性片部が配置されている。ハウジングと挿入凹部形成部分、コンタクトを含めてコネクタを構成している。
【０００３】
また、蛍光管と回路基板とを接続するコンタクトの弾性片部に対して蛍光管のアウターリードを取り付け、回路基板とコンタクトの接続については半田付けをすることにより行う取り付け方法も提案されている（たとえば、特許文献２参照）。この従来例は、一対の弾性片部をハウジングに組み付け、この弾性片部に蛍光管のアウターリードを挟んで電気的接続と蛍光管の固定を図り、この弾性片部に連成されたリードがハウジングの受入空洞に露出し、このリードに回路基板の端子部が接触することで、弾性片部とリードとで構成されるコンタクトを介して蛍光管と回路基板とが電気的に接続されるものである。そして、リードが回路基板に半田付けされている。
【先行技術文献】
【特許文献】
【０００４】
【特許文献１】特開２００７−２５７８８１号公報
【特許文献２】特開２００７−４８７１５号公報
【発明の概要】
【発明が解決しようとする課題】
【０００５】
しかし、上述特許文献１記載の発明においては、コンタクトの構造が複雑であり、これをホルダに組付けるのも面倒であり、部品点数および作業工程が多くなるという問題があった。
【０００６】
また、上述特許文献２記載の発明においても、特許文献１のものと同様の欠点があり、さらには各コネクタと回路基板とを半田付けにより接続するので、作業工数が多くなってしまうという問題があった。
【０００７】
また、各コネクタと回路基板とを半田付けしたことによって、各コネクタの位置が固定されてしまい、蛍光管をコネクタに取り付ける際の相対位置が極めて限定されたものとなるので、取り付け作業の効率があまりいいものとは言えないという問題があった。
【０００８】
本発明はこのような点に鑑みてなされたものであり、少ない部品点数によってコストを削減しつつ、作業工数を削減することができる蛍光管の固定具、コネクタ、及び蛍光管の固定構造を提供することを目的とする。
【課題を解決するための手段】
【０００９】
本発明に係る固定具では、上記問題を解決するために、回路基板を介して電源と接続される端子片を設けた平板部と、この平板部から立ち上がり、蛍光管のアウターリードを係止する立上部とからなり、全体を導電材料で形成した蛍光管の固定具において、前記立上部の上端から下方に亘ってスリットを形成し、このスリットの下端で蛍光管の棒状のアウターリードを嵌合させ係止させるために、前記アウターリードの外形と同じ形状に切り欠いた係止部を設け、前記立上部のスリットにより分割された両側部分がアウターリードの通過により拡開する弾性を備え、前記平板部の両側に回路基板を抱え込む抱え込み片を形成し、この抱え込み片で抱え込まれる回路基板の端子部と端子片とが電気的に接続できるように構成したものである。
【００１０】
また、本発明に係るコネクタは、前記固定具を用いて蛍光管と電気接続するコネクタにおいて、基材部上に蛍光管の本体部が載置される載置溝を両側壁間に形成し、基材部の前面に設けられた開口部内にあって、載置溝の下方裏面側に固定具が取り付けられる取付手段を設け、前記固定具の立上部が基材部の後面側に位置し、載置溝後部隣接箇所で基材部下方から上方へ突出するように配置されていて、蛍光管の本体部を載置溝上方へセットしたとき、蛍光管のアウターリードを立上部のスリットで挟持し、前記固定具のスリット途中にある前記アウターリードを嵌合部まで押し込んで蛍光管の本体部を載置溝へ載置して固定するようにしたものである。
【００１１】
さらに、前記コネクタを用いて蛍光管を固定する蛍光管の固定構造では、前記蛍光管のアウターリードをスリット途中から係止部まで押し込む手段として、基材部に取り付けられるカバー内部に設けられ、アウターリードの上方に位置するように配された押付片を用いたものである。さらにまた、前記固定具を複数設けるとともに、これら固定具と協働して蛍光管を固定する載置溝形成部分も基材部上に複数設け、各固定具のスリットに複数の蛍光管のアウターリードを挟持し、前記カバーはその複数の蛍光管を覆うように基材部に取り付けられ、カバーに形成された複数の押付片で複数のアウターリードを係止部に係止させ、複数の蛍光管を一度に固定するものである。なおまた、前記固定具の平板部両側に形成された抱え込み片で囲まれた差込口へ、固定具の端子片と電気的に接続する端子部が形成された回路基板の複数の差込片を差し込んで、回路基板の差込片を抱え込み片で挟持し、複数の差込片の端子部を複数の固定具の端子片に接触させるようにすることもできる。
【発明の効果】
【００１２】
本発明の固定具によれば、回路基板を介して電源と接続される端子片を設けた平板部と、この平板部から立ち上がり、蛍光管のアウターリードを係止する立上部とからなり、全体を導電材料で形成した蛍光管の固定具において、前記立上部の上端から下方に亘ってスリットを形成し、このスリットの下端で蛍光管の棒状のアウターリードを嵌合させ係止させるために、前記アウターリードの外形と同じ形状に切り欠いた係止部を設け、前記立上部のスリットにより分割された両側部分がアウターリードの通過により拡開する弾性を備え、前記平板部の両側に回路基板を抱え込む抱え込み片を形成し、この抱え込み片で抱え込まれる回路基板の端子部と端子片とが電気的に接続できるように構成したので、従来のコンタクトに比べて簡単な構造となり、回路基板の一部を抱え込み片で抱えさせることにより端子部と端子片とが接触することで蛍光管と回路基板との電気的接続が行なわれるとともに、蛍光管の固定が容易に行える。
【００１３】
また、前記固定具を用いて蛍光管と電気接続するコネクタにおいて、基材部上に蛍光管の本体部が載置される載置溝を両側壁に形成し、基材部の前面に設けられた開口部内にあって、載置溝の下方裏面側に固定具が取り付けられる取付手段を設け、前記固定具の立上部が基材部の後面側に位置し、載置溝後部隣接箇所で基材部下方から上方へ突出するように配置されていて、蛍光管の本体部を載置溝上方へセットしたとき、蛍光管のアウターリードを立上部のスリットで挟持し、前記固定具のスリット途中にある前記アウターリードを嵌合部まで押し込んで蛍光管の本体部を載置溝へ載置して固定できるようにした発明によれば、従来のハウジングへのコンタクト取付作業に比べてコンタクト（固定具）の取り付けが容易となり、作業工数も少なく、部品点数も少なくなり、蛍光管の取り付け、固定も簡単かつ確実に行える。
【００１４】
さらに、前記コネクタを用いて蛍光管を固定する蛍光管の固定構造において、前記蛍光管のアウターリードをスリット途中から係止部まで押し込む手段として、基材部に取り付けられるカバー内部に設けられ、アウターリードの上方に位置するように配された押付片を用いたものでは、カバーを基材部に取り付けるだけで、蛍光管の取り付けと電気的接続を図ることができる。
【００１５】
前記固定具を複数設けるとともに、これら固定具と協働して蛍光管を固定する載置溝形成部分も基材部上に複数設け、各固定具のスリットに複数の蛍光管のアウターリードを挟持し、前記カバーはその複数の蛍光管を覆うように基材部に取り付けられ、カバーに形成された複数の押付片で複数のアウターリードを係止部に係止させ、複数の蛍光管を一度に固定するものでは、複数の蛍光管の取り付けが迅速に、しかも簡単かつ確実に行え、それぞれの電気的接続も確実なものとなる。
【００１６】
前記固定具の平板部両側に形成された抱え込み片で囲まれた差込口へ、固定具の端子片と電気的に接続する端子部が形成された回路基板の複数の差込片を差し込んで、回路基板の差込片を抱え込み片で挟持し、複数の差込片の端子部を複数の固定具の端子片に接触させたものでは、回路基板を端子片と半田付けすることもなく、電気的接続を確実に行うことができる。このとき、差込片の幅が差込口の幅よりも小さく、差込片が左右に動くアソビをつくってあれば、端子片の幅の範囲で差込片の端子部が接触し、製品の寸法誤差を十部に吸収することもできる。
【図面の簡単な説明】
【００１７】
【図１】本実施の形態に係る固定具（コンタクト）を示す斜視図である。
【図２】固定具が取り付けられるハウジングを構成する部分を示す斜視図である。
【図３】固定具を取り付けたハウジングに回路基板を取り付ける様子を示す斜視図である。
【図４】固定具を取り付けたハウジングの一部断面の斜視図である。
【図５】固定具を取り付けたハウジングの幅方向断面図である。
【図６】固定具を取り付けたハウジングの幅方向における部分的拡大断面図である。
【図７】回路基板を取り付けたハウジングの載置部に蛍光管を載置する様子を示す図である。
【図８】ハウジングの載置部に蛍光管が載置されたときの載置部の拡大上方斜視図である。
【図９】蛍光管を載置した載置部の後方から見た上方斜視図である。
【図１０】載置部に蛍光管を載置したハウジングにカバーをかぶせる様子を示す図である。
【図１１】ハウジングにカバーをかぶせたときの載置部の前後方向断面図である。
【図１２】ハウジングにカバーをかぶせたときの後方から見た載置部の断面斜視図である。
【図１３】ハウジングにカバーをかぶせたときの上方斜視図である。
【図１４】固定具が取り付けられたハウジングの底面斜視図である。
【発明を実施するための形態】
【００１８】
以下、本発明の実施の形態を図面を参照して詳細に説明する。
【００１９】
図１は、本発明の固定具（コンタクト）２００を示す斜視図である。中央部分を切り欠いて先端を立ち上げた弾性片から成る端子片２２２を有する平板部２２０と、この平板部２２０から立ち上がり、蛍光管４００（図７参照）のアウターリード４１０（図７参照）を係止する立上部２１０とで、全体がＬ字金具と同様の形状をなし、Ｌ字状部分の全体が導電材料で形成されている。前記立上部２１０の上端から下方に亘ってスリット２１１を形成し、このスリット２１１の下端で蛍光管４００の棒状のアウターリード４１０を嵌合させ係止させるために、アウターリード４１０の外形と同じ形状に切り欠いた係止部２１２を設けてある。また、前記立上部２１０のスリット２１１により左右に分割された両側部分がアウターリード４１０の通過により拡開する弾性を備え、最終的にアウターリード４１０が係止部２１２に嵌まり込むことが可能に構成されている。
【００２０】
前記固定具２００の平板部２２０の両側に後述する回路基板３００を抱え込む抱え込み片２３０を形成してある。そして、回路基板３００に形成された差込片３１０（図３参照）を抱え込み片２３０で囲まれた差込口２３０Ａへ差し込むようになっている。差込片３１０を差込口２３０Ａへ差し込むと、抱え込み片２３０と弾性を備えた端子片２２２とでこの差込片３１０を挟圧する。端子片２２２は、回路基板３００の導電パターン（端子部）に接触し、電気的接続が図られる。
【００２１】
図２は、本実施の形態に係るハウジング１００を示す上方斜視図である。
図２に示すように、ハウジング１００は、基材部１１０の上面に一定間隔で蛍光管４００を載置するための載置部１２０が複数設けられ、載置部１２０が設けられた部分の基材部１１０の前面には開口部１３０が設けられている。
【００２２】
載置部１２０は、蛍光管４００を載置するための載置溝１２１と、載置溝１２１を取り囲うように両側壁１２２が設けられている。この両側壁１２２の前方側部分には、載置溝１２１と連続するように切り欠き部が形成され、両側壁１２２の後方側部分には、載置溝１２１とは段差が生じるように浅い切り欠き部が形成されている。前記両側壁１２２の後方側部分には、浅い切り欠き部が形成された部分の両側部分を基端としてガイド壁１２３が延設されている。また、両側壁１２２の後方側部分の後方であって、ガイド壁１２３に挟まれ、ガイド壁１２３の両側壁１２２との接合部近傍の基材部１１０の上面には、その上面材を貫通するように貫通穴（不図示）が設けられている。一方、開口部１３０内であって載置部１２０の下側には前述した固定具（コンタクト）２００を取り付けるための取付手段としての取付爪１４０が設けられている。
【００２３】
固定具２００は、基材部１１０の上面に設けられた上述の貫通穴に下方から立上部２１０を挿通し、取付手段１４０によって取り付けられる。図１に示す固定具２００を図２に示すハウジング１００に取り付けたものが、コネクタを構成する。
【００２４】
図３は、固定具２００を取り付けたハウジング１００に回路基板３００を取り付ける様子を示す図である。回路基板３００は、ハウジング１００の開口部１３０に挿入するための凸部３１０が設けられている。ハウジング１００に固定具２００が取り付けられると、固定具２００の平板部２２０は、ハウジング１００の開口部１３０の下端近傍に設けられることになる。
【００２５】
図４は、固定具２００を取り付けたハウジング１００の載置部１２１における前後方向断面図である。固定具２００の平板部２２０の幅方向中央部には、端子片２２２にばね性を付与するばね部２２１が設けられ、そのばね部２２１の後端部は上向きに凸になるように曲げ加工されている。ばね部２２１のばね性と後端部が上向きに凸になるように曲げ加工されていることによって、開口部１３０から挿入された回路基板３００の差込片３１０の下面と端子片２２２が接触する。差込片３１０の下面には、回路基板３００に設けられた回路端、すなわち端子部が引き回されており、この端子部と端子片２２２が接続されることにより、スリット２１１に挟持された蛍光管４００のアウターリード４１０と回路基板３００の回路とが接続されることになる。
【００２６】
図５は、固定具２００を取り付けたハウジング１００の幅方向断面図である。図５に示すように、ハウジング１００に取り付けられた固定具２００のボックス状部２３０の上面は載置溝１２１の下面と接触しており、ボックス状部２３０の下面は取付爪（取付手段）１４０によって保持されている。これにより、ハウジング１００に取り付けられた固定具２００は保持されている。開口部１３０に挿入された回路基板３００の差込片３１０は、ボックス状部２３０内に挿入される。
【００２７】
図６は、固定具２００を取り付けたハウジング１００の載置部１２０における幅方向の拡大断面図である。図６に示すように、ハウジング１００に取り付けられた固定具２００のボックス状部２３０の両脇には、ハウジング１００の側壁１２２下端部との間に隙間１５０が設けられている。これにより、固定具２００が隙間１５０の分だけ横方向にスライドする構造となっている。したがって、蛍光管４００を載置する際に整列方向の載置誤差が生じたとしても、固定具２００がスライドすることによって、その載置誤差を吸収することができる。したがって、部品公差も吸収することができる。
【００２８】
図７は、回路基板３００を取り付けたハウジング１００の載置部に蛍光管４００を載置する様子を示す図である。図７に示すように、固定具２００と回路基板３００を取り付けたハウジング１００の載置部１２０に対して蛍光管４００を載置する様子を示している。蛍光管４００は、電気的な接続部であるアウターリード４１０と本体部４２０からなっている。蛍光管４００を載置部１２０に載置する際には、本体部４２０が載置溝１２１に載置され、かつアウターリード４１０が固定具２００のスリット２１１に挟持されるように載置する。蛍光管４００が載置部１２０に載置されると図８に示すようになる。
【００２９】
また、後方から見ると図９に示すように、載置部１２０に蛍光管４００が載置されると、アウターリード４１０が固定具２００のスリット２１１に挟持され、かつガイド壁１２３の間に突出する。
【００３０】
図１０は、載置部１２０に蛍光管４００を載置したハウジング１００にカバー５００をかぶせる様子を示す図である。図１０に示すように、カバー５００には、ハウジング１００にカバー５００をかぶせたときに蛍光管４００の本体部４２０に接触しないように切り欠き部５０１が設けられている。
【００３１】
図１１は、ハウジング１００にカバー５００をかぶせたときの載置部１２０の前後方向断面図である。図１１に示すように、載置部１２０に載置された蛍光管４００のアウターリード４１０を上から押さえる押付片５１１，５１２がカバー５００の内側に設けられている。この押付片５１１，５１２により、スリット２１１に挟持されたアウターリード４１０が、スリット２１１下部に設けられた係止部２１２で係止されるように上から押さえられる。したがって、カバー５００がかぶせられると、アウターリード４１０が係止部２１２に係止され、電気的な接続がより確実となる。
【００３２】
図１２は、ハウジング１００にカバー５００をかぶせたときの後方から見た載置部１２０の断面斜視図である。図１２に示すように、押付片５１２は、上から差し込まれるように左右のガイド壁１２３の間に挿入され、スリット２１１から後方に突出したアウターリード４１０を上から押さえる。以上のような、カバー５００がハウジング１００にかぶせられると、図１３に示すようになる。
【００３３】
図１４は、固定具２００が取り付けられたハウジング１００の底面斜視図である。図１４に示すように、取付爪（取付手段）１４０によって保持された固定具２００の平板部２２０によって回路基板３００が下支えされている。また、回路基板３００が下支えされていることにより差込片３１０が平板部２２０に接触し、かつその平板部２２０に設けられた上方に持ち上がるようにばね性を有するばね部２２１の先端部に設けられた上方に突出する凸部分に確実に接触する。これにより、差込片３１０の裏面に設けられた端子部と確実に接触する。したがって、固定具２００を介して、差込片３１０に接触した端子部を備えた回路基板３００とアウターリード４１０を備えた蛍光管４００が電気的に接続されることになる。
【符号の説明】
【００３４】
１００  ハウジング
１１０  基材部
１２０  載置部
１２１  載置溝
１２２  側壁
１２３  ガイド壁
１３０  開口部
１４０  取付手段
２００  固定具
２１０  立上部
２１１  スリット
２１２  係止部
２２０  平板部
２２１  ばね部
２２２  端子片
２３０  ボックス状部
３００  回路基板
３１０  差込片
４００  蛍光管
４１０  アウターリード
４２０  本体部
【図１】
2010225355.tif 000003
【図２】
2010225355.tif 000004
【図３】
2010225355.tif 000005
【図４】
2010225355.tif 000006
【図５】
2010225355.tif 000007
【図６】
2010225355.tif 000008
【図７】
2010225355.tif 000009
【図８】
2010225355.tif 000010
【図９】
2010225355.tif 000011
【図１０】
2010225355.tif 000012
【図１１】
2010225355.tif 000013
【図１２】
2010225355.tif 000014
【図１３】
2010225355.tif 000015
【図１４】
2010225355.tif 000016